(57)【要約】【課題】本考案は、発光するため目を引く効果、泥棒を驚かして撃退する効果、広告効果、情報伝達効果がある監視器構造を提供する。【解決手段】監視器本体と、前記監視器本体の少なくとも一つの側面箇所に設けられた表示モジュールと、前記監視器本体の少なくとも一つの側辺に設けられた少なくとも一つの発光ダイオードとからなる。前記表示モジュールは、液晶ディスプレイ（Ｌｉｑｕｉｄ  Ｃｒｙｓｔａｌ  Ｄｉｓｐｌａｙ，ＬＣＤ）、或いは、ＬＥＤディスプレイの内の一つである。【選択図】図５
0003175103.tif 000002
【実用新案登録請求の範囲】
【請求項１】
監視器構造であって、
前記監視器構造は、監視器本体と、前記監視器本体の少なくとも一つの側面箇所に設けられた表示モジュールとからなることを特徴とする、監視器構造。
【請求項２】
前記表示モジュールは、液晶ディスプレイ（Ｌｉｑｕｉｄ  Ｃｒｙｓｔａｌ  Ｄｉｓｐｌａｙ，ＬＣＤ）、或いは、ＬＥＤディスプレイの内の一つであることを特徴とする、請求項１に記載の監視器構造。
【請求項３】
前記監視器本体には、前記表示モジュールにデータリンクされた回路基板が設けられることを特徴とする、請求項１に記載の監視器構造。
【請求項４】
前記監視器本体には、電源供給モジュールが電気的に接続されることを特徴とする、請求項１に記載の監視器構造。
【請求項５】
監視器構造であって、
前記監視器構造は、監視器本体と、前記監視器本体の少なくとも一つの側面箇所に設けられた表示モジュールと、前記監視器本体の少なくとも一つの側辺に設けられた少なくとも一つの発光ダイオードとからなることを特徴とする、監視器構造。
【請求項６】
前記表示モジュールは、液晶ディスプレイ（Ｌｉｑｕｉｄ  Ｃｒｙｓｔａｌ  Ｄｉｓｐｌａｙ，ＬＣＤ）、或いは、ＬＥＤディスプレイの内の一つであることを特徴とする、請求項５に記載の監視器構造。
【請求項７】
前記監視器本体には、前記表示モジュールにデータリンクされた回路基板が設けられることを特徴とする、請求項５に記載の監視器構造。
【請求項８】
前記監視器本体には、電源供給モジュールが電気的に接続されることを特徴とする、請求項５に記載の監視器構造。
【考案の詳細な説明】
【技術分野】
【０００１】
本考案は監視器に関し、特に泥棒を驚かして撃退する効果、情報伝達効果を有し、位置を際立たせることができる監視器構造に関する。
【背景技術】
【０００２】
社会の治安に関する問題は日に日に深刻になってきており、現在、多くの公共の場所、及び、マンション、しいては一戸建て住宅にも、電子監視器が設けられている。人の管理をしやすくするため、そして、誰かが進入して窃盗や器物破損、傷害などの不法行為を行うのを防ぐために、監視器を設けることで、人件費の支出を抑えることができるだけでなく、事件が起こったときに、その事件が起こった時の全ての過程を記録することができる。
【０００３】
しかしながら、一般の市場で売られている、或いは、使用されている監視器は、いずれも、単純な監視録画機能を備えているだけで、泥棒を驚かして撃退する装置を監視器に取り付けることはできない。
【０００４】
また、監視器は、ほとんどが、外観から正常に作動しているかどうか見分けることができず、どの監視器が故障しているのか分からない。従って、事が起きてから映像をチェックするときに初めて監視器が故障していることが分かるため、映像を撮り残すという欠点がある。
【考案の概要】
【考案が解決しようとする課題】
【０００５】
本考案は、発光ダイオードと表示モジュールを設けることにより、発光するため目を引く効果、泥棒を驚かして撃退する効果、広告効果、情報伝達効果がある監視器構造を提供することを目的とする。
【課題を解決するための手段】
【０００６】
上述の目的を達成するため、本考案による監視器構造は、主に、監視器本体と、前記監視器本体の少なくとも一つの側面箇所に設けられた表示モジュールと、前記監視器本体の少なくとも一つの側辺に設けられた少なくとも一つの発光ダイオードとからなる。その内、前記表示モジュールは、液晶ディスプレイ（Ｌｉｑｕｉｄ  Ｃｒｙｓｔａｌ  Ｄｉｓｐｌａｙ，ＬＣＤ）、或いは、ＬＥＤディスプレイである。前記監視器本体には、前記表示モジュールとデータリンクされる回路基板が設けられ、前記監視器本体には電源供給モジュールが電気的に接続される。
【考案の効果】
【０００７】
上述の構造と組み合わせからなる監視器本体は、電源供給モジュールから必要な電力が供給され、発光ダイオードと表示モジュールの作動により、監視器本体を取り付けた位置をはっきり分からせることができ、さらには、監視器本体が正常に動作しているかどうか分かるようになり、さらには、撮影者に状態を知らせる効果、泥棒を驚かして撃退する効果、広告効果、情報伝達効果があり、実用進歩性を有している。
【図面の簡単な説明】
【０００８】
【図１】本考案の実施例１を示した斜視図である。
【図２】本考案の実施例１の実施状態を示した説明図１である。
【図３】本考案の実施例１の実施状態を示した説明図２である。
【図４】本考案の実施例１の実施状態を示した説明図３である。
【図５】本考案の実施例１の実施状態を示した説明図４である。
【図６Ａ】本考案の実施例２の実施状態を示した説明図１である。
【図６Ｂ】本考案の実施例２の実施状態を示した説明図２である。
【図７】本考案の実施例２の実施状態を示した説明図３である。
【図８】本考案の実施例２の実施状態を示した説明図４である。
【図９】本考案の実施例２の実施状態を示した説明図５である。
【図１０】本考案の実施例２の実施状態を示した説明図６である。
【図１１】本考案の実施例２の実施状態を示した説明図７である。
【考案を実施するための形態】
【０００９】
（実施例１）
図１を参照する。図１は、本考案の実施例１を示した斜視図である。図から分かるように、本考案の監視器構造は、主に、監視器本体１と、監視器本体１の少なくとも一つの側面箇所に設けられた表示モジュール１０とからなる。その内、表示モジュール１０は、液晶ディスプレイ（Ｌｉｑｕｉｄ  Ｃｒｙｓｔａｌ  Ｄｉｓｐｌａｙ，ＬＣＤ）或いはＬＥＤディスプレイである。その内、監視器本体１には、表示モジュール１０とデータリンクされた回路基板１１が設けられ、監視器本体１は、電源供給モジュール１２に電気的に接続される。
【００１０】
上述の構造、組合せによる本考案の使用作動状況を以下に説明する。図２から図５を参照する。図２から図５は、本考案の実施例１の実施状態を示した説明図１から４である。図から分かるように、監視器本体１の両側の面に表示モジュール１０を設けた例をとって説明を行う。監視器本体１を監視空間に配置し、作動させると、監視器本体１に設けられた表示モジュール１０が発光して、「録画監視中」、「録画中、にっこりしてください」、「いらっしゃいませ」等の文字が表示される。その内、表示モジュール１０は、液晶ディスプレイ（Ｌｉｑｕｉｄ  Ｃｒｙｓｔａｌ  Ｄｉｓｐｌａｙ，ＬＣＤ）、或いは、ＬＥＤディスプレイの内の一つである。また、表示モジュール１０を表示する方法は、ＬＣＤ表示である（図２を同時に参照する）か、ＬＥＤディスプレイ表示である（図３を同時に参照する）か、ＬＥＤディスプレイとＬＣＤの混合表示である（図４を参照する）。以上の構造により、人々に、監視器本体１の位置を識別させることができ、犯罪をしようとする人に対して驚かして撃退する作用がある。
【００１１】
また、図５を同時に参照する。上述した監視器本体１の少なくとも一つの側辺には、さらに、複数の発光ダイオード１３が設けられ、表示モジュール１０と合わせて作動させることにより、監視器本体１が壊れているかどうかを判断することができ、メンテナンスを行う人がメンテナンスを行いやすくなり、発光して目を引く効果、情報を伝達する効果、状態を知らせる効果、広告効果があり、実用進歩性を達成することができる。
【００１２】
（実施例２）
図６Ａから図１１を参照する。図６Ａから図１１は、本考案の実施例２の実施状態を示した説明図１である。図から分かるように、監視器本体１ａの三つの側面に表示モジュール１０ａを設けた例をとって説明を行う。監視器本体１ａを監視空間に配置し、電源供給モジュール１２ａにより電源が供給されて作動すると、監視器本体１ａの三つの側面に設けられた表示モジュール１０ａが発光して、「録画監視中」、「録画中、にっこりしてください」、「いらっしゃいませ」等の文字が表示される。その内、表示モジュール１０ａは、液晶ディスプレイ（Ｌｉｑｕｉｄ  Ｃｒｙｓｔａｌ  Ｄｉｓｐｌａｙ，ＬＣＤ）、或いは、ＬＥＤディスプレイの内の一つである。表示モジュール１０ａは、回路基板１１ａにデータリンクされる。その内、表示モジュール１０ａの表示方法は、ＬＣＤ表示（同時に、図６Ａを参照する）、ＬＥＤ表示（同時に、図６Ｂを参照する）、或いは、ＬＥＤとＬＣＤの混合表示（同時に、図７から図１１を参照する）である。以上の構造により、犯罪をしようとする人に対して驚かして撃退する作用がある。また、監視器本体１ａには発光ダイオード１３ａが設けられているため、メンテナンスを行う人が、表示モジュール１０ａと発光ダイオード１３ａの発光表示より、監視器本体１が壊れているかどうかを判断することができ、メンテナンスを行いやすくなる。上述の説明から分かるように、本考案は、発光して目を引く効果、情報を伝達する効果、状態を知らせる効果、広告効果があり、実用進歩性を達成することができる。
【００１３】
全ての図を参照する。本考案を使用すると、従来の技術と比べ以下の利点が生じる。
【００１４】
監視器本体１に表示モジュール１０と発光ダイオード１３を設けることにより、本考案は、発光して目を引く効果、情報を伝達する効果、状態を知らせる効果、メンテナンスをしやすくする効果、広告効果、があり、実用進歩性を達成することができる。
【符号の説明】
【００１５】
１、１ａ            監視器本体
１０、１０ａ  表示モジュール
１１、１１ａ  回路基板
１２、１２ａ  電源供給モジュール
１３、１３ａ  発光ダイオード
【図１】
0003175103.tif 000003
【図２】
0003175103.tif 000004
【図３】
0003175103.tif 000005
【図４】
0003175103.tif 000006
【図５】
0003175103.tif 000007
【図６Ａ】
0003175103.tif 000008
【図６Ｂ】
0003175103.tif 000009
【図７】
0003175103.tif 000010
【図８】
0003175103.tif 000011
【図９】
0003175103.tif 000012
【図１０】
0003175103.tif 000013
【図１１】
0003175103.tif 000014